【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
中空部品を形成するのに適したマンドレルにおいて、前記部品が、第１膨張係数を有する熱硬化性材料から作製され、長手軸を有する細長い本体を有し、かつ前記本体から外方へ延びる、前記本体に取り付けられた横突出部を有し、前記マンドレルが、
（ａ）第１端部、反対側の第２端部、長手軸、外面および前記第１膨張係数と異なる第２膨張係数を有する細長い中央部材、
（ｂ）第１位置に配置され、前記中央部材の前記外面から外方へ突出する横部材であって、前記中央部材の前記長手軸と平行な経路に沿って摺動可能なように前記中央部材に摺動可能に取り付けられた横部材、および
（ｃ）第１端部、第２端部および前記第１膨張係数と実質的に同様の膨張係数を有する剛性の細長い支柱部材であって、前記支柱部材の前記第１端部が前記横部材に取り付けられ、前記支柱部材の前記第２端部が前記第１位置から離間された第２位置に取り付けられ、前記支柱部材が前記中央部材の前記長手軸と実質的に平行に配置される剛性の細長い支柱部材と、
を含むことを特徴とするマンドレル。
【請求項２】
請求項１に記載のマンドレルにおいて、前記支柱部材の前記第２端部が、前記第２位置に配置された第２横部材に取り付けられることを特徴とするマンドレル。
【請求項３】
請求項１に記載のマンドレルにおいて、前記剛性の細長い支柱部材が、複数の剛性の細長い支柱部材を含むことを特徴とするマンドレル。
【請求項４】
請求項１に記載のマンドレルにおいて、前記第２膨張係数が前記第１膨張係数より大きく、前記横部材が前記第２位置の方向に摺動可能なように前記中央部材に摺動可能に取り付けられることを特徴とするマンドレル。
【請求項５】
請求項１に記載のマンドレルにおいて、前記横部材が、前記中央部材の前記第１端部の近くに配置されかつ前記中央部材の前記外面から外方へ突出する第１横部材と、前記中央部材の前記第２端部の近くに配置されかつ前記中央部材の前記外面から外方へ突出する第２横部材とを含み、両方の横部材が、前記中央部材の前記長手軸と平行な経路に沿って摺動可能なように、前記中央部材に摺動可能に取り付けられ、および前記支柱部材の前記第１端部が前記第１横部材に取り付けられ、前記支柱部材の前記第２端部が前記第２横部材に取り付けられることを特徴とするマンドレル。
【請求項６】
請求項５に記載のマンドレルにおいて、前記剛性の細長い支柱部材が、複数の剛性の細長い支柱部材を含むことを特徴とするマンドレル。
【請求項７】
請求項５に記載のマンドレルにおいて、前記第２膨張係数が前記第１膨張係数より大きく、前記横部材が前記第２位置の方向に摺動可能なように前記中央部材に摺動可能に取り付けられることを特徴とするマンドレル。
【請求項８】
第１膨張係数を有する熱硬化性材料から作製される中空部品を形成する方法であって、前記部品が（ｉ）第１端部、第２端部および長手軸を有する細長い本体と、（ｉｉ）前記本体から外方へ延びる、前記本体に取り付けられた横突出部とを含み、前記方法が
（ａ）中空部品を形成するのに適したマンドレルを提供するステップであって、前記部品が、第１膨張係数を有する熱硬化性材料から作製され、長手軸を有する細長い本体を有し、かつ前記本体から外方へ延びる、前記本体に取り付けられた横突出部を有し、前記マンドレルが、
（ｉ）第１端部、反対側の第２端部、長手軸、外面および前記第１膨張係数と異なる第２膨張係数を有する細長い中央部材、
（ｉｉ）第１位置に配置され、前記中央部材の前記外面から外方へ突出する横部材であって、前記中央部材の前記長手軸と平行な経路に沿って摺動可能なように前記中央部材に摺動可能に取り付けられた横部材、および
（ｉｉｉ）第１端部、第２端部および前記第１膨張係数と実質的に同様の膨張係数を有する剛性の細長い支柱部材であって、前記支柱部材の前記第１端部が前記横部材に取り付けられ、前記支柱部材の前記第２端部が前記第１位置から離間された第２位置に取り付けられ、前記支柱部材が前記中央部材の前記長手軸と実質的に平行に配置される剛性の細長い支柱部材と、を含むマンドレルを提供するステップと、
（ｂ）前記熱硬化性材料を前記マンドレルの前記中央部材の前記外面に適用することによって前記部品の前記本体を形成するステップと、
（ｃ）前記熱硬化性材料を前記横部材に適用することによって横突出部を形成するステップと、
（ｄ）前記横突出部と前記横部材の間の接触を維持しながら、前記硬化性材料を高温まで加熱する間、前記部品の前記本体および前記部品の前記横突出部を前記マンドレルに緊密に保持するステップと、
（ｅ）前記部品が硬化した後、前記部品を冷却するステップと、
を含むことを特徴とする方法。
【請求項９】
請求項８に記載の方法において、前記剛性の細長い支柱部材が、複数の剛性の細長い支柱部材を含むことを特徴とする方法。
【請求項１０】
第１膨張係数を有する熱硬化性材料から作製される中空部品を形成する方法であって、前記部品が（ｉ）第１端部、第２端部および長手軸を有する細長い本体と、（ｉｉ）前記本体から外方へ延びる、前記本体に取り付けられた第１横突出部と、（ｉｉｉ）前記本体から外方へ延びる、前記本体に取り付けられた第２横突出部とを含み、前記方法が
（ａ）中空部品を形成するのに適したマンドレルを提供するステップであって、前記部品が、第１膨張係数を有する熱硬化性材料から作製され、第１端部、第２端部および長手軸を有する細長い本体を有し、前記本体から外方へ延びる、前記本体に取り付けられた第１横突出部を有し、かつ前記本体から外方へ延びる、前記本体に取り付けられた第２横突出部を有し、前記マンドレルが、
（ｉ）第１端部、反対側の第２端部、長手軸、外面および前記第１膨張係数と異なる第２膨張係数を有する細長い中央部材、
（ｉｉ）前記中央部材の前記第１端部の近くに配置され、前記中央部材の前記外面から外方へ突出する第１横部材および、前記中央部材の前記第２端部の近くに配置され、前記中央部材の前記外面から外方へ突出する第２横部材であって、両方の横部材が、前記中央部材の前記長手軸と平行な経路に沿って摺動可能なように前記中央部材に摺動可能に取り付けられた第１横部材および第２横部材、ならびに、
（ｉｉｉ）第１端部、第２端部および前記第１膨張係数と実質的に同様の膨張係数を有する剛性の細長い支柱部材であって、前記支柱部材の前記第１端部が前記第１横部材に取り付けられ、前記支柱部材の前記第２端部が前記第２横部材に取り付けられ、前記支柱部材が前記中央部材の前記長手軸と実質的に平行に配置される剛性の細長い支柱部材と、を含むマンドレルを提供するステップと、
（ｂ）熱硬化性材料を前記マンドレルの前記中央部材の前記外面に適用することによって前記部品の前記本体を形成するステップと、
（ｃ）前記熱硬化性材料を前記第１横部材に適用することによって第１横突出部を形成するステップと、
（ｄ）前記熱硬化性材料を前記第２横部材に適用することによって第２横突出部を形成するステップと、
（ｅ）前記第１横突出部と前記第１横部材の間の接触を維持し、かつ前記第２横突出部と前記第２横部材の接触を維持しながら、前記硬化性材料を高温まで加熱する間、前記部品の前記本体および前記部品の両方の横突出部を前記マンドレルに緊密に保持するステップと、
（ｆ）前記部品が硬化した後、前記部品を冷却するステップと、を含むことを特徴とする方法。
【請求項１１】
請求項１０に記載の方法おいて、前記剛性の細長い支柱部材が、複数の剛性の細長い支柱部材を含むことを特徴とする方法。